(57)【要約】【課題】建物の開口部に用いられる建具において、断熱性を向上させることができるとともに火災時においても加熱発泡材を適切な位置で保持できる構成を提供すること。【解決手段】建具１は、開口部に固定される枠体（金属製枠体）１０と、枠体１０の内側に開閉可能に保持される障子２０と、枠体１０の室内側を覆う樹脂製の樹脂カバー４０（カバー部材）と、火災時に枠体１０と障子２０の隙間へ発泡する加熱発泡材８０と、枠体１０に配置され、加熱発泡材８０の一側の端部を保持する金属製保持部１１７と、樹脂カバー４０に配置され、加熱発泡材８０の他側の端部を保持する樹脂製保持部４１８と、を備える。【選択図】図７
2018100536.tif 000002
【特許請求の範囲】
【請求項１】
建物の開口部に設けられる建具であって、
前記開口部に固定される金属製枠体と、
前記金属製枠体の内側に開閉可能に支持される障子と、
前記金属製枠体の室内側を覆う樹脂製のカバー部材と、
火災時に前記金属製枠体と前記障子の隙間へ発泡する加熱発泡材と、
前記金属製枠体に配置され、前記加熱発泡材の一側の端部を保持する金属製保持部と、
前記カバー部材に配置され、前記加熱発泡材の他側の端部を保持する樹脂製保持部と、
を備える建具。
【請求項２】
前記金属製保持部は、
前記加熱発泡材の室内側の面を支持する支持壁部を有する請求項１に記載の建具。
【請求項３】
前記樹脂製保持部は、前記加熱発泡材の他側の端部を見込方向で挟み込む折り返し部を有する請求項１又は２に記載の建具。
【発明の詳細な説明】
【技術分野】
【０００１】
本発明は、建物の開口部に設けられる建具に関する。
【背景技術】
【０００２】
従来、建物の開口部に設けられる建具において、火災時に枠体と障子の間の隙間を埋めるために加熱発泡材を配置する技術が知られている。この種の加熱発泡材に関する技術を開示するものとして例えば特許文献１がある。特許文献１には、開口枠に対して障子を開閉可能に配設する建具において、枠の内方見付壁部に加熱発泡材を貼り付けた構成について記載されている。
【先行技術文献】
【特許文献】
【０００３】
【特許文献１】特開２０１６−１０８７４０号公報
【発明の概要】
【発明が解決しようとする課題】
【０００４】
ところで、断熱性を向上させるためには樹脂部材を用いることが好ましい。例えば、金属製の枠体の室内側に樹脂カバーを配置する等、枠体の一部に樹脂を用いることで断熱性を向上させることができる。この点、特許文献１では加熱発泡材の近傍に断熱材を配置しているものの加熱発泡材まわりの断熱性を向上させるという点で改善の余地があった。加熱発泡材を樹脂製の部材で保持することも考えられるが、樹脂製の部材は金属製の部材に比べて溶融し易く、火災時に加熱発泡材の保持性を維持する課題がある。
【０００５】
本発明は、建物の開口部に用いられる建具において、断熱性を向上させることができるとともに火災時においても加熱発泡材を適切な位置で保持できる構成を提供することを目的とする。
【課題を解決するための手段】
【０００６】
本発明は、建物の開口部に設けられる建具（例えば、後述の建具１）であって、前記開口部に固定される金属製枠体（例えば、後述の上枠１１、下枠１２、吊元側縦枠１３、戸先側縦枠１４）と、前記金属製枠体の内側に開閉可能に支持される障子（例えば、後述の障子２０）と、前記金属製枠体の室内側を覆う樹脂製のカバー部材（例えば、後述の上樹脂カバー４１、下樹脂カバー４２、縦樹脂カバー４４）と、火災時に前記枠体と前記障子の隙間へ発泡する加熱発泡材（例えば、後述の加熱発泡材８０）と、前記金属製枠体に配置され、前記加熱発泡材の一側の端部を保持する金属製保持部（例えば、後述の金属製保持部１１７，１２７，１４７）と、前記カバー部材に配置され、前記加熱発泡材の他側の端部を保持する樹脂製保持部（例えば、後述の樹脂製保持部４１８，４２８，４４８）と、を備える建具に関する。
【０００７】
前記金属製保持部は、前記加熱発泡材の室内側の面を支持する支持壁部（例えば、後述の支持壁部１１７ｂ，１２７ｂ，１４７ｂ）を有することが好ましい。
【０００８】
前記樹脂製保持部は、前記加熱発泡材の他側の端部を見込方向で挟み込む折り返し部（例えば、後述の折り返し部４１８ｂ，４２８ｂ，４４８ｂ）を有することが好ましい。
【発明の効果】
【０００９】
本発明の構成によれば、建物の開口部に用いられる建具において、断熱性を向上させることができるとともに火災時においても加熱発泡材を適切な位置で保持できる。
【図面の簡単な説明】
【００１０】
【図１】本発明の一実施形態に係る建具を室内側から見た内観図である。
【図２】本実施形態の建具１を室外側から見た外観図である。
【図３】本実施形態の建具１の横断面図である。
【図４】本実施形態の建具１の縦断面図である。
【図５】本実施形態の建具１が備える縦樹脂カバー４４及びその近傍を示す拡大横断面図である。
【図６】本実施形態の建具１が備える下樹脂カバー４２及びその近傍を示す拡大縦断面図である。
【図７】本実施形態の建具１が備える上樹脂カバー４１及びその近傍を示す拡大縦断面図である。
【発明を実施するための形態】
【００１１】
以下、本発明の好ましい実施形態について、図面を参照しながら説明する。なお、本明細書において、「見付方向」とは、建物に形成された開口部に納められた建具１における障子２０の面方向を意味し、「見込方向」とは、障子２０の厚み方向を意味する。
【００１２】
図１及び図２に示す建具１は、建物の躯体２により形成される開口部に用いられる開口部装置である。この建具１により室内側と室外側が区画される。
【００１３】
まず、建具１の全体構成について説明する。本実施形態の建具１は、躯体２に固定される枠体１０と、枠体１０の内側に配置される障子２０と、障子２０を開閉可能に支持する丁番７０と、枠体１０の室内側に配置される樹脂カバー４０と、を主要な構成として備える。
【００１４】
枠体１０は、上枠１１と、下枠１２と、吊元側縦枠１３と、戸先側縦枠１４と、が矩形に枠組みされて構成される。本実施形態の枠体１０は、アルミニウム合金の押出し形材によって成形される。
【００１５】
図３及び図４に示すように、障子２０は、ガラス２１と、ガラス２１を保持する框３０と、を備える。框３０は、上框３１と、下框３２と、吊元側縦框３３と、戸先側縦框３４と、が矩形に枠組みされて構成される。ガラス２１の上端部は上框３１のガラス保持溝３１０に収容され、下端部は下框３２のガラス保持溝３２０に収容される。また、ガラス２１の吊元側の端部は吊元側縦框３３のガラス保持溝３３０に収容され、ガラス２１の戸先側の端部は戸先側縦框３４のガラス保持溝３４０に収容される。
【００１６】
障子２０の戸先側縦框３４にはレバーハンドル２６と、レバーハンドル２６に連動するラッチ機構２７と、が配置される。障子２０の開閉はレバーハンドル２６の操作によって行われる。また、戸先側縦枠１４には、ラッチ機構２７の受け部２８が設けられる。
【００１７】
丁番７０は、吊元側縦枠１３に固定され、障子２０を開閉可能に支持する。丁番７０は、上下方向に複数配置される。
【００１８】
樹脂カバー４０は、枠体１０の室内側を覆う樹脂製のカバー部材である。樹脂カバー４０は、枠体１０の構成に対応しており、上樹脂カバー４１と、下樹脂カバー４２と、左右両側にそれぞれ配置される縦樹脂カバー４４と、を備える。
【００１９】
上樹脂カバー４１は、額縁５の上部を保持するアングル部４１０を備え、下樹脂カバー４２は、額縁５の下部を支持するアングル部４２０を備える。また、縦樹脂カバー４４は、額縁５の側部を支持するアングル部４４０をそれぞれ備える。このように、本実施形態では、樹脂カバー４０を介して額縁５が保持される。
【００２０】
図５を参照して戸先側縦枠１４及び縦樹脂カバー４４の構成について説明する。
戸先側縦枠１４は、躯体側に固定される縦枠本体部１４０と、縦枠本体部１４０から見込方向室内側に延びる縦枠延出片１４１と、縦枠延出片１４１の先端でアングル部４４０を支持する金属製支持部１４５と、を備える。
縦樹脂カバー４４は、縦枠本体部１４０に固定される第１縦樹脂部材４４１と、第１縦樹脂部材４４１に嵌合固定される第２縦樹脂部材４４２と、第１縦樹脂部材４４１の室内側端部に配置される上述のアングル部４４０と、を備える。
【００２１】
第１縦樹脂部材４４１は、その室内側の面に配置される弾性部材４４５を保持するクッション材保持部４４１ａを備える。弾性部材４４５は、障子２０の閉鎖時に戸先側縦框３４の室内側の見付面に接触する。本実施形態の戸先側縦框３４は、その室内側の面に樹脂部材３４５が配置されており、この樹脂部材３４５が弾性部材４４５に接触する。
【００２２】
第２縦樹脂部材４４２は、アングル部４４０の裏側（見込方向室外側）に位置し、第１縦樹脂部材４４１の見込面側に形成される凹部４４１ｂに嵌合固定される。
【００２３】
アングル部４４０は、縦樹脂カバー４４の室内側端部に位置しており、内装材としての額縁５の室外側端部５１を支持する。アングル部４４０は、平面視でその断面形状が見込方向室内側に開口する略Ｃ字状に形成される。
【００２４】
本実施形態のアングル部４４０は、見付方向の障子２０側で見込方向室内側に延びる表側片４４０ａと、見付方向の躯体側で見込方向室内側に延びる裏側片４４０ｂと、支持片嵌合部４４０ｄと、を備える。
【００２５】
アングル部４４０は、縦樹脂カバー４４の長手方向（上下方向）全長に延びる一体的な部材で構成される。表側片４４０ａと裏側片４４０ｂと支持片嵌合部４４０ｄは、分割される部品で構成されているわけではなく一体的な部材である。また、アングル部４４０自体も第１縦樹脂部材４４１と一体的に成形されている。
【００２６】
額縁５の室外側端部５１が挿入された状態で、表側片４４０ａは、額縁５の室外側端部５１の表面（躯体側と反対側の面）に対向し、裏側片４４０ｂは、額縁５の室外側端部５１の裏面（躯体側の面）に対向する。表側片４４０ａと裏側片４４０ｂの間に額縁５の室外側端部５１が挿入される挿入口４４６が形成される。なお、以下の説明において、裏側は額縁５において躯体側に位置して外側から見えない側とし、表側は裏側の反対側であって外側から見える側又は相対的に外側にある側とする。
【００２７】
裏側片４４０ｂが表側片４２０ａよりも長く形成されている。また、裏側片４４０ｂの端部には表側片４２０ａに向かって折り返すように屈曲する屈曲部４４０ｃが形成される。本実施形態の屈曲部４４０ｃは、その先端が見付方向吊元側を向いており、略直角に折れ曲がっている。屈曲部４４０ｃの室内側にはスペース４４７が形成され、該スペース４４７を利用して額縁５の挿入作業をスムーズに行うことができるようになっている。本実施形態では、屈曲部４４０ｃの端面が額縁５に当接している。
【００２８】
支持片嵌合部４４０ｄは、金属製支持部１４５によって支持される部位である。本実施形態の金属製支持部１４５は、アングル部４４０の支持片嵌合部４４０ｄに嵌合する嵌合部１４５ａと、アングル部４４０の裏側片４４０ｂを支持する裏側支持片１４５ｂと、躯体側に接触する接触片１４５ｃ，１４５ｄと、を備える。
【００２９】
アングル部４４０の支持片嵌合部４４０ｄが金属製支持部１４５の嵌合部１４５ａに嵌合することにより、アングル部４４０の基端側が金属製である金属製支持部１４５によって強固に支持される状態となる。本実施形態では、支持片嵌合部４４０ｄと嵌合部１４５ａの間には軟質性の樹脂で構成される弾性部材１４６が配置される。弾性部材１４６は、左右方向（見付方向）で支持片嵌合部４４０ｄと嵌合部１４５ａに挟み込まれており、該弾性部材１４６が弾性変形した状態で支持片嵌合部４４０ｄと嵌合部１４５ａが嵌合される。なお、弾性部材１４６を省略することもできる。
【００３０】
裏側支持片１４５ｂは、躯体側からアングル部４４０の裏側片４４０ｂの基端部まで延びた後、見込方向室内側に屈曲し、裏側片４４０ｂの裏側面に沿って延びている。この裏側支持片１４５ｂによって裏側片４４０ｂが裏側から支持される。
【００３１】
接触片１４５ｃ，１４５ｄは、何れも躯体側に接触する部位である。接触片１４５ｃは、嵌合部１４５ａ側から見付方向躯体側に延びており、その端面が躯体２に接触している。接触片１４５ｄは、接触片１４５ｃの基端部から見込方向室内側に延びた後、躯体側に傾斜するように延びており、その端面が躯体２に接触している。接触片１４５ｃ，１４５ｄにより、躯体２に対する金属製支持部１４５の位置が適切なものとなっている。
【００３２】
本実施形態では、戸先側縦枠１４（枠体１０）の長手方向に帯状に延びる加熱発泡材８０が第１縦樹脂部材４４１と縦枠本体部１４０の間に配置される。加熱発泡材８０は、火災時等の高温環境で発泡し、障子２０と戸先側縦枠１４の隙間を塞ぐためのものである。戸先側縦枠１４と縦樹脂カバー４４によって構成される加熱発泡材保持部９４によって加熱発泡材８０が保持されている。
【００３３】
本実施形態の加熱発泡材保持部９４は、戸先側縦枠１４に設けられる金属製保持部１４７と、縦樹脂カバー４４に設けられる樹脂製保持部４４８と、から構成される。加熱発泡材保持部９４を構成する各部について説明する。
【００３４】
金属製保持部１４７について説明する。金属製保持部１４７は、加熱発泡材８０の一側の端部を嵌合する金属枠側嵌合部１４７ａと、加熱発泡材８０の室内側の面を支持する支持壁部１４７ｂと、を備える。
【００３５】
金属枠側嵌合部１４７ａは、縦枠本体部１４０と縦枠延出片１４１の接続部分近傍に位置しており、見付方向吊元側に開口する凹状に形成される。金属枠側嵌合部１４７ａの凹状の部分に加熱発泡材８０の短手方向の躯体２側の端部が挿入される。本実施形態では、後述の折り返し部４４８ｂと金属枠側嵌合部１４７ａの間に加熱発泡材８０を挿入した状態で金属枠側嵌合部１４７ａにかしめ加工が行われることにより、加熱発泡材８０が脱落しないように抜け止めされている。
【００３６】
支持壁部１４７ｂは、縦枠本体部１４０と縦枠延出片１４１の接続部分近傍から見付方向（左右方向）の吊元側に延びている。支持壁部１４７ｂは、戸先側縦枠１４の長手方向に沿って壁状に形成される。この支持壁部１４７ｂの室外側の面に加熱発泡材８０の室内側の面が対向するように加熱発泡材８０が固定されている。
【００３７】
支持壁部１４７ｂの室内側の面は、第１縦樹脂部材４４１の室外側の面に対向した状態で該第１縦樹脂部材４４１に近接配置されており、金属製保持部１４７の見込方向室内側が縦樹脂カバー４４によって覆われている。これによって、金属製保持部１４７によって加熱発泡材８０の一部をしっかり保持しつつ、当該金属製保持部１４７の室内側に配置される縦樹脂カバー４４によって室外側と室内側を高い断熱性で区画できる。
【００３８】
樹脂製保持部４４８について説明する。樹脂製保持部４４８は、加熱発泡材８０の他側の端部を保持する保持本体部４４８ａと、加熱発泡材８０の脱落を防止する折り返し部４４８ｂと、を備える。
【００３９】
保持本体部４４８ａは、第１縦樹脂部材４４１の室外側の面から見込方向室外側に延びた後、支持壁部１４７ｂの吊元側の端部を回り込んで加熱発泡材８０の見付方向吊元側の端面に対向し、この端面部分で加熱発泡材８０を保持する。
【００４０】
折り返し部４４８ｂは、保持本体部４４８ａから見付方向戸先側に突出しており、支持壁部１４７ｂとともに加熱発泡材８０を見込方向で挟み込んでいる。加熱発泡材８０の折り返し部４４８ｂに挟み込まれる側の端部は室内側に近いという意味で室内側の端部ということができ、金属枠側嵌合部１４７ａに挿入される側の端部は、相対的に室内側から離れるという意味で室外側の端部ということもできる。
【００４１】
加熱発泡材８０は、その見込方向室外側の面が開放されており、火災等で高温環境になると、見込方向室外側に発泡し、障子２０と戸先側縦枠１４の間で生じる隙間が塞がれる。樹脂製保持部４４８が火災等に起因する熱によって溶融していたとしても金属製保持部１４７によって加熱発泡材８０の位置が適切に保持され続ける。また、本実施形態の加熱発泡材保持部９４は、戸先側縦枠１４の長手方向に延びており、線接触による高い保持性で加熱発泡材８０が固定される。
【００４２】
以上、図５を参照して戸先側縦枠１４及び戸先側の縦樹脂カバー４４について説明したが、吊元側縦枠１３及び吊元側の縦樹脂カバー４４も、加熱発泡材保持部９４を含めて左右対称となっている以外は同様の構成である。次に、図６を参照して下枠１２及び下樹脂カバー４２の構成について説明する。
【００４３】
下枠１２は、躯体側に固定される下枠本体部１２０と、下枠本体部１２０から見込方向室内側に配置される室内側下枠部材１２１と、室内側下枠部材１２１の先端でアングル部４２０を支持する金属製支持部１２５と、を備える。
下樹脂カバー４２は、下枠本体部１２０及び室内側下枠部材１２１に固定される第１下樹脂部材４２１と、第１下樹脂部材４２１に嵌合固定される第２下樹脂部材４２２と、第１下樹脂部材４２１の室内側端部に配置される上述のアングル部４２０と、を備える。
【００４４】
第１下樹脂部材４２１は、障子２０の閉鎖時に下框３２の室内側の見付面に対向する位置関係にある。本実施形態の下框３２は、その室内側の面に樹脂部材３２５が配置されており、この樹脂部材３２５と第１下樹脂部材４２１が見込方向で対向した状態となる。
【００４５】
第２下樹脂部材４２２は、アングル部４２０の裏側（見込方向室外側）に位置し、第１下樹脂部材４２１の見込面側に形成される凹部４２１ａに嵌合固定される。
【００４６】
アングル部４２０は、下樹脂カバー４２の室内側端部に位置しており、内装材としての額縁５の室外側端部５１を支持する。アングル部４２０は、左右方向視でその断面形状が見込方向室内側に開口する略Ｃ字状に形成される。
【００４７】
本実施形態のアングル部４２０は、上側で見込方向室内側に延びる表側片４２０ａと、下側で見込方向室内側に延びる裏側片４２０ｂと、支持片嵌合部４２０ｄと、を備える。
【００４８】
アングル部４２０は、下樹脂カバー４２の長手方向（左右方向）全長に延びる一体的な部材で構成される。表側片４２０ａと裏側片４２０ｂと支持片嵌合部４２０ｄは、分割される部品で構成されているわけではなく一体的な部材である。また、アングル部４２０自体も第１下樹脂部材４２１と一体的に成形されている。
【００４９】
額縁５の室外側端部５１が挿入された状態で、表側片４２０ａは、額縁５の室外側端部５１の表面（躯体側と反対側の面）に対向し、裏側片４２０ｂは、額縁５の室外側端部５１の裏面（躯体側の面）に対向する。表側片４２０ａと裏側片４２０ｂの間に額縁５の室外側端部５１が挿入される挿入口４２６が形成される。
【００５０】
裏側片４２０ｂが表側片４２０ａよりも長く形成されている。また、裏側片４２０ｂの端部には表側片４２０ａに向かって折り返すように屈曲する屈曲部４２０ｃが形成される。屈曲部４２０ｃは、その先端が上方を向いており、略直角に折れ曲がっている。本実施形態の屈曲部４２０ｃは、その先端が裏側片４２０ｂに対向しており、略直角に折れ曲がっている。屈曲部４２０ｃの室内側にはスペース４２７が形成され、該スペース４２７を利用して額縁５の挿入作業をスムーズに行うことができるようになっている。本実施形態では、屈曲部４２０ｃの端面が額縁５に当接している。
【００５１】
支持片嵌合部４２０ｄは、金属製支持部１２５によって支持される部位である。本実施形態の金属製支持部１２５は、アングル部４２０の支持片嵌合部４２０ｄに嵌合する嵌合部１２５ａと、アングル部４２０の裏側片４２０ｂを支持する裏側支持片１２５ｂと、躯体側に接触する接触片１２５ｃと、を備える。
【００５２】
アングル部４２０の支持片嵌合部４２０ｄが金属製支持部１２５の嵌合部１２５ａに嵌合することにより、アングル部４２０の基端側が金属製である金属製支持部１２５によって強固に支持される状態となる。本実施形態では、支持片嵌合部４２０ｄと嵌合部１２５ａの間には軟質性の樹脂で構成される弾性部材１２６が配置される。弾性部材１２６は、上下方向で支持片嵌合部４２０ｄと嵌合部１２５ａの上部に挟み込まれており、該弾性部材１２６が弾性変形した状態で支持片嵌合部４２０ｄと嵌合部１２５ａが嵌合される。なお、弾性部材１２６を省略することもできる。
【００５３】
裏側支持片１２５ｂは、躯体側からアングル部４２０の裏側片４２０ｂの基端部まで延びた後、見込方向室内側に屈曲し、裏側片４２０ｂの裏側面に沿って延びている。この裏側支持片１２５ｂによって裏側片４２０ｂが裏側から支持される。
【００５４】
接触片１２５ｃは、躯体側に接触する部位である。接触片１２５ｃは、嵌合部１２５ａ側から下方（見付方向躯体側）に延びており、その端面が躯体２に接触している。接触片１２５ｃにより、躯体２に対する金属製支持部１２５の位置が適切なものとなっている。
【００５５】
本実施形態では、下枠１２（枠体１０）の長手方向に帯状に延びる加熱発泡材８０が第１下樹脂部材４２１と下枠本体部１２０の間に配置される。加熱発泡材８０は、火災時等の高温環境で発泡し、障子２０と下枠１２の間の隙間を塞ぐためのものである。下枠１２と下樹脂カバー４２によって構成される加熱発泡材保持部９２によって加熱発泡材８０が保持されている。
【００５６】
本実施形態の加熱発泡材保持部９２は、下枠１２に設けられる金属製保持部１２７と、下樹脂カバー４２に設けられる樹脂製保持部４２８と、から構成される。加熱発泡材保持部９２を構成する各部について説明する。
【００５７】
金属製保持部１２７について説明する。金属製保持部１２７は、加熱発泡材８０の一側の端部を嵌合する金属枠側嵌合部１２７ａと、加熱発泡材８０の室内側の面を支持する支持壁部１２７ｂと、を備える。
【００５８】
金属枠側嵌合部１２７ａは、下枠本体部１２０から上方に延びており、その端部が上方に開口する凹状に形成される。金属枠側嵌合部１２７ａの凹状の部分に加熱発泡材８０の短手方向の躯体２側の端部（下部）が挿入される。本実施形態では、後述の折り返し部４２８ｂと金属枠側嵌合部１２７ａの間に加熱発泡材８０を挿入した状態で金属枠側嵌合部１２７ａにかしめ加工が行われることにより、加熱発泡材８０が抜け止めされるとともに下支えされている。
【００５９】
支持壁部１２７ｂは、金属枠側嵌合部１２７ａの室内側の端部が上方に延長するように延びている。支持壁部１２７ｂは、下枠１２の長手方向に沿って壁状に形成される。この支持壁部１２７ｂの室外側の面に加熱発泡材８０の室内側の面が対向するように固定されている。
【００６０】
支持壁部１２７ｂの室内側の面は、第１下樹脂部材４２１の室外側の面に見込方向で間隔をあけて対向している。また、第１下樹脂部材４２１の室外側の面の下部からは金属枠側嵌合部１２７ａの下方に潜り込むように延びる樹脂延出部４２１ｂが設けられる。このように本実施形態では金属製保持部１２７の見込方向室内側が下樹脂カバー４２によって覆われている。これによって、金属製保持部１２７によって加熱発泡材８０の一部をしっかり保持しつつ、当該金属製保持部１２７の室内側に配置される下樹脂カバー４２によって室外側と室内側を高い断熱性で区画できる。
【００６１】
樹脂製保持部４２８について説明する。樹脂製保持部４２８は、加熱発泡材８０の他側の端部を保持する保持本体部４２８ａと、加熱発泡材８０の脱落を防止する折り返し部４２２ｂと、を備える。
【００６２】
保持本体部４２８ａは、第１下樹脂部材４２１の室外側の面から見込方向室外側に延びており、加熱発泡材８０の上端面に対向している。保持本体部４２８ａは上から加熱発泡材８０に接触する。
【００６３】
折り返し部４２８ｂは、保持本体部４２８ａから加熱発泡材８０の室外側の面に対向するように下方に突出しており、支持壁部１２７ｂとともに加熱発泡材８０を見込方向で挟み込んでいる。加熱発泡材８０の折り返し部４２８ｂに挟み込まれる側の端部は室内側に近いという意味で室内側の端部ということができ、金属枠側嵌合部１２７ａに挿入される側の端部は、相対的に室内側から離れるという意味で室外側の端部ということもできる。
【００６４】
加熱発泡材８０は、その見込方向室外側の面が開放されており、火災等で高温環境になると、見込方向室外側に発泡し、障子２０と下枠１２の間で生じる隙間が塞がれる。樹脂製保持部４２８が火災等に起因する熱によって溶融していたとしても金属製保持部１２７によって加熱発泡材８０の位置が適切に保持され続ける。また、本実施形態の加熱発泡材保持部９２は、下枠１２の長手方向に延びており、線接触による高い保持性で加熱発泡材８０が固定される。
【００６５】
次に、図７を参照して上枠１１及び上樹脂カバー４１の構成について説明する。
上枠１１は、躯体側に固定される上枠本体部１１０と、上枠本体部１１０から見込方向室内側に配置される室内側上枠部材１１２と、室内側上枠部材１１２の先端でアングル部４１０を支持する金属製支持部１１５と、を備える。本実施形態の室内側上枠部材１１２は、樹脂製の結合部材１１１を介して上枠本体部１１０に連結固定されている。
上樹脂カバー４１は、上枠本体部１１０及び室内側上枠部材１１２に固定される第１上樹脂部材４１１と、第１上樹脂部材４１１の内側に嵌合固定される第２上樹脂部材４１２と、第１上樹脂部材４１１の室内側端部に配置される上述のアングル部４１０と、を備える。
【００６６】
第１上樹脂部材４１１は、障子２０の閉鎖時に上框３１の室内側の見付面に対向する位置関係にある。本実施形態の上框３１は、その室内側の面に樹脂部材３１５が配置されており、この樹脂部材３１５と第１上樹脂部材４１１が見込方向で対向した状態となる。
【００６７】
第２上樹脂部材４１２は、アングル部４１０の裏側（見込方向室外側）に位置し、第１上樹脂部材４１１の見込面側に形成される凹部４１１ａに嵌合固定される。
【００６８】
アングル部４１０は、上樹脂カバー４１の室内側端部に位置しており、内装材としての額縁５の室外側端部５１を支持する。アングル部４１０は、左右方向視でその断面形状が見込方向室内側に開口する略Ｃ字状に形成される。
【００６９】
本実施形態のアングル部４１０は、下側で見込方向室内側に延びる表側片４１０ａと、上側で見込方向室内側に延びる裏側片４１０ｂと、支持片嵌合部４１０ｄと、を備える。
【００７０】
アングル部４１０は、上樹脂カバー４１の長手方向（左右方向）全長に延びる一体的な部材で構成される。表側片４１０ａと裏側片４１０ｂと支持片嵌合部４１０ｄは、分割される部品で構成されているわけではなく一体的な部材である。また、アングル部４１０自体も第１上樹脂部材４１１と一体的に成形されている。
【００７１】
額縁５の室外側端部５１が挿入された状態で、表側片４１０ａは、額縁５の室外側端部５１の表面（躯体側と反対側の面）に対向し、裏側片４１０ｂは、額縁５の室外側端部５１の裏面（躯体側の面）に対向する。表側片４１０ａと裏側片４１０ｂの間に額縁５の室外側端部５１が挿入される挿入口４１６が形成される。
【００７２】
裏側片４１０ｂが表側片４１０ａよりも長く形成されている。また、裏側片４１０ｂの端部には表側片４１０ａに向かって折り返すように屈曲する屈曲部４１０ｃが形成される。本実施形態の屈曲部４１０ｃは、その先端が下方を向いており、略直角に折れ曲がっている。屈曲部４１０ｃの室内側にはスペース４１７が形成される。本実施形態では、屈曲部４１０ｃの端面が額縁５に当接している。
【００７３】
支持片嵌合部４１０ｄは、金属製支持部１１５によって支持される部位である。本実施形態の金属製支持部１１５は、アングル部４１０の支持片嵌合部４１０ｄに嵌合する嵌合部１１５ａと、アングル部４１０の裏側片４１０ｂを支持する裏側支持片１１５ｂと、躯体側に接触する接触片１１５ｃと、を備える。
【００７４】
アングル部４１０の支持片嵌合部４１０ｄが金属製支持部１１５の嵌合部１１５ａに嵌合することにより、アングル部４１０の基端側が金属製である金属製支持部１１５によって強固に支持される状態となる。
【００７５】
裏側支持片１１５ｂは、躯体側からアングル部４１０の裏側片４１０ｂの基端部まで延びた後、見込方向室内側に屈曲し、裏側片４１０ｂの裏側面に沿って延びている。この裏側支持片１１５ｂによって裏側片４１０ｂが裏側から支持される。本実施形態では、支持片嵌合部４１０ｄと裏側支持片１１５ｂの屈曲部分の間には軟質性の樹脂で構成される弾性部材１１６が配置される。弾性部材１１６は、上下方向で支持片嵌合部４１０ｄと裏側支持片１１５ｂの屈曲部分に挟み込まれており、該弾性部材１１６が弾性変形した状態で支持片嵌合部４１０ｄと嵌合部１１５ａが嵌合される。なお、弾性部材１１６を省略することもできる。
【００７６】
接触片１１５ｃは、躯体側に接触する部位である。接触片１１５ｃは、嵌合部１１５ａ側から上方（見付方向躯体側）に延びており、その端面が躯体２に接触している。接触片１１５ｃにより、躯体２に対する金属製支持部１１５の位置が適切なものとなっている。
【００７７】
本実施形態では、上枠１１（枠体１０）の長手方向に帯状に延びる加熱発泡材８０が第１上樹脂部材４１１と上枠本体部１１０の間に配置される。加熱発泡材８０は、火災時等の高温環境で発泡し、障子２０と上枠１１の間の隙間を塞ぐためのものである。上枠１１と上樹脂カバー４１によって構成される加熱発泡材保持部９１によって加熱発泡材８０が保持されている。
【００７８】
本実施形態の加熱発泡材保持部９１は、上枠１１に設けられる金属製保持部１１７と、上樹脂カバー４１に設けられる樹脂製保持部４１８と、から構成される。加熱発泡材保持部９１を構成する各部について説明する。
【００７９】
金属製保持部１１７について説明する。金属製保持部１１７は、加熱発泡材８０の一側の端部を嵌合する金属枠側嵌合部１１７ａと、加熱発泡材８０の室内側の面を支持する支持壁部１１７ｂと、を備える。
【００８０】
金属枠側嵌合部１１７ａは、上枠本体部１１０から下方に延びており、その端部が下方に開口する凹状に形成される。金属枠側嵌合部１１７ａの凹状の部分に加熱発泡材８０の短手方向の躯体２側の端部（上部）が挿入される。本実施形態では、後述の折り返し部４１８ｂと金属枠側嵌合部１１７ａの間に加熱発泡材８０を挿入した状態で金属枠側嵌合部１１７ａにかしめ加工が行われることにより、加熱発泡材８０が抜け止めされるとともに吊り下げ保持されている。
【００８１】
支持壁部１１７ｂは、金属枠側嵌合部１１７ａの室内側の端部が下方に延長するように延びている。支持壁部１１７ｂは、上枠１１の長手方向に沿って壁状に形成される。この支持壁部１１７ｂの室外側の面に加熱発泡材８０の室内側の面が対向するように固定されている。
【００８２】
支持壁部１１７ｂの室内側の面は、第１上樹脂部材４１１の室外側の面に見込方向で間隔をあけて対向している。また、第１上樹脂部材４１１の室外側の面の上部からは金属枠側嵌合部１１７ａの上部に接触する樹脂延出部４１１ｂが設けられる。このように本実施形態では金属製保持部１１７の見込方向室内側が上樹脂カバー４１によって覆われている。これによって、金属製保持部１１７によって加熱発泡材８０の一部をしっかり保持しつつ、当該金属製保持部１１７の室内側に配置される上樹脂カバー４１によって室外側と室内側を高い断熱性で区画できる。
【００８３】
樹脂製保持部４１８について説明する。樹脂製保持部４１８は、加熱発泡材８０の他側の端部を保持する保持本体部４１８ａと、加熱発泡材８０の脱落を防止する折り返し部４１２ｂと、を備える。
【００８４】
保持本体部４１８ａは、第１上樹脂部材４１１の室外側の面から見込方向室外側に延びており、加熱発泡材８０の下端面に対向している。保持本体部４１８ａは、下から加熱発泡材８０に接触する。
【００８５】
折り返し部４１８ｂは、保持本体部４１８ａから加熱発泡材８０の室外側の面に対向するように上方に突出しており、支持壁部１１７ｂとともに加熱発泡材８０を見込方向で挟み込んでいる。加熱発泡材８０の折り返し部４１８ｂに挟み込まれる側の端部は室内側に近いという意味で室内側の端部ということができ、金属枠側嵌合部１１７ａに挿入される側の端部は、相対的に室内側から離れるという意味で室外側の端部ということもできる。
【００８６】
加熱発泡材８０は、その見込方向室外側の面が開放されており、火災等で高温環境になると、見込方向室外側に発泡し、障子２０と上枠１１の間で生じる隙間が塞がれる。樹脂製保持部４１８が火災等に起因する熱によって溶融していたとしても金属製保持部１１７によって加熱発泡材８０の位置が適切に保持され続ける。また、本実施形態の加熱発泡材保持部９１は、上枠１１の長手方向に延びており、線接触による高い保持性で加熱発泡材８０が固定される。
【００８７】
以上説明した本実施形態によれば、以下のような効果を奏する。
本実施形態の建具１は、開口部に固定される枠体１０（上枠１１、下枠１２、吊元側縦枠１３及び戸先側縦枠１４）と、枠体１０の内側に開閉可能に支持される障子２０と、枠体１０の室内側を覆う樹脂製の樹脂カバー４０（上樹脂カバー４１、下樹脂カバー４２、及び縦樹脂カバー４４）と、火災時に枠体１０と障子２０の隙間へ発泡する加熱発泡材８０と、枠体１０に配置され、加熱発泡材８０の一側の端部を保持する金属製保持部１１７，１２７，１４７と、樹脂カバー４０に配置され、加熱発泡材８０の他側の端部を保持する樹脂製保持部４１８，４２８，４４８と、を備える。
【００８８】
これにより、加熱発泡材８０を保持するための構成の一部を樹脂で構成できるので、加熱発泡材８０まわりの断熱性を効果的に向上させることができる。また、樹脂製保持部４１８，４２８，４４８だけではなく金属製保持部１１７，１２７，１４７にも加熱発泡材８０が保持されているので、樹脂製保持部４１８，４２８，４４８が火災時に溶融したとしても金属製保持部１１７，１２７，１４７によって加熱発泡材８０の位置を適切な位置で保持し続けられる。即ち、本実施形態の構成により、加熱発泡材８０回りの断熱性の向上及び加熱発泡材８０の保持性の向上の両方を実現することができる。
【００８９】
また、本実施形態の金属製保持部１１７，１２７，１４７は、加熱発泡材８０の室内側の面を支持する支持壁部１１７ｂ，１２７ｂ，１４７ｂを有する。
【００９０】
これにより、火災によって焼失しない金属製の支持壁部１１７ｂ，１２７ｂ，１４７ｂによって加熱発泡材８０の室内側の面が支持されるので、室外側に加熱発泡材を適切に発泡させることができる。また、加熱発泡材８０の三方が位置決めされるので、接着剤等を用いることなく、機械的な構造で加熱発泡材８０を正確な位置で強固に固定することができる。
【００９１】
また、本実施形態の樹脂製保持部４１８，４２８，４４８は、加熱発泡材８０の他側の端部を見込方向で挟み込む折り返し部４１８ｂ，４２８ｂ，４４８ｂを有する。
【００９２】
これにより、樹脂製保持部４１８，４２８，４４８によって加熱発泡材８０の端部がしっかり固定されるので、経年や衝撃に起因して加熱発泡材８０が剥がれ落ちる事態を確実に防止できる。また、折り返し部４１８ｂ，４２８ｂ，４４８ｂにより、加熱発泡材８０が位置決めされるので、加熱発泡材８０が設計時に想定した位置からずれて取り付けられる事態も確実に防止できる。
【００９３】
以上、本発明の好ましい実施形態について説明したが、本発明は、上述の実施形態に制限されるものではなく、適宜変更が可能である。
【００９４】
上記実施形態では、金属製保持部１１７，１２７，１４７が支持壁部１１７ｂ，１２７ｂ，１４７ｂを有する構成であるが、この構成に限定されない。支持壁部１１７ｂ，１２７ｂ，１４７ｂの全部を金属製にせず、一部が樹脂製の支持壁部を形成する構成としてもよい。
【００９５】
加熱発泡材８０の発泡方向についても、上記実施形態の見込方向室外側に発泡する構成に限定されない。加熱発泡材の発泡方向は、適宜、障子と枠との隙間へ向かって発泡すれば良く、別の実施形態として見込方向室外側以外の方向に発泡するものについても本発明を適用することができる。
【００９６】
また、上記実施形態では、樹脂製保持部４１８，４２８，４４８が折り返し部４１８ｂ，４２８ｂ，４４８ｂを有する構成であるが、折り返し部４１８ｂ，４２８ｂ，４４８ｂを省略してもよい。また、金属製保持部１１７，１２７，１４７はかしめ加工によって加熱発泡材８０の端部を固定する構成であるが、かしめ加工を省略してもよい。また、かしめ加工による固定の代わりに、締結部材や両面テープ又は接着剤を用いて加熱発泡材８０を固定する構成としてもよい。
【符号の説明】
【００９７】
１：建具
１０：枠体（金属製枠体）
１１：上枠、１２：下枠、１３：吊元側縦枠、１４：戸先側縦枠（金属製枠体）
２０：障子
４０：樹脂カバー、（カバー部材）
４１：上樹脂カバー、４２：下樹脂カバー、４４：縦樹脂カバー（カバー部材）
８０：加熱発泡材
１１７，１２７，１４７：金属製保持部
１１７ｂ，１２７ｂ，１４７ｂ：支持壁部
４１８，４２８，４４８：樹脂製保持部
４１８ｂ，４２８ｂ，４４８ｂ：折り返し部
【図１】
2018100536.tif 000003
【図２】
2018100536.tif 000004
【図３】
2018100536.tif 000005
【図４】
2018100536.tif 000006
【図５】
2018100536.tif 000007
【図６】
2018100536.tif 000008
【図７】
2018100536.tif 000009